【手続補正書】
【提出日】平成26年8月28日(2014.8.28)
【手続補正１】
【補正対象書類名】特許請求の範囲
【補正対象項目名】全文
【補正方法】変更
【補正の内容】
【特許請求の範囲】
【請求項１】
遊技領域に遊技球を打込んで遊技が行なわれ、該遊技領域に設けられた入賞口に入賞した遊技球を所定の上限個数まで貯留する貯留部と、該貯留部に貯留させた遊技球を演出に使用するために放出する放出手段と、該放出手段により放出された遊技球が導かれる演出手段とを備えてなる遊技機であって、
前記入賞口に入賞した遊技球を検出する検出手段と、
該検出手段により検出された遊技球を前記貯留部へ誘導するための誘導通路と、
前記貯留部の入口縁部に形成され、前記誘導通路内の遊技球を前記貯留部へ導くための誘導片と、
該誘導片により前記貯留部と区画され、前記貯留部に貯留しきれない上限個数目以降の遊技球を遊技機外へ排出するための排出部とを含み、
前記誘導片は、前記誘導通路の中心位置から前記排出部側に偏在した位置で、かつ、前記貯留部において前記上限個数の遊技球が貯留されたときに前記上限個数目の遊技球が前記誘導通路側に突出する態様となる位置に設けられ、
前記貯留部に前記上限個数の遊技球が貯留されているときに、前記誘導通路により誘導されてきた遊技球が、前記貯留部に貯留された前記上限個数目の遊技球の中心よりも前記排出部側に偏った位置に衝突することに基づいて、前記排出部へ誘導され、
遊技の結果、第１の特定遊技状態、または、該第１の特定遊技状態よりも有利な第２の特定遊技状態に制御可能であり、前記第２の特定遊技状態に制御される場合は、前記第１の特定遊技状態に制御される場合に比べて高い割合で遊技球が前記演出手段に導かれる、遊技機。
【手続補正２】
【補正対象書類名】明細書
【補正対象項目名】０００１
【補正方法】変更
【補正の内容】
【０００１】
本発明は、遊技領域に遊技球を打込んで遊技が行なわれ、該遊技領域に設けられた入賞口に入賞した遊技球を所定の上限個数まで貯留する貯留部と、該貯留部に貯留させた遊技球を演出に使用するために放出する放出手段と、該放出手段により放出された遊技球が導かれる演出手段とを備えてなる遊技機に関する。
【手続補正３】
【補正対象書類名】明細書
【補正対象項目名】０００８
【補正方法】変更
【補正の内容】
【０００８】
（１）  遊技領域（遊技領域７）に遊技球を打込んで遊技が行なわれ、該遊技領域に設けられた入賞口（第２始動入賞口１４）に入賞した遊技球を所定の上限個数まで貯留する貯留部（第２貯留部６２０）と、該貯留部に貯留させた遊技球を演出（球放出予告演出）に使用するために放出する放出手段（第２放出装置８６０）と、該放出手段により放出された遊技球が導かれる演出手段とを備えてなる遊技機（パチンコ遊技機１）であって、
前記入賞口に入賞した遊技球を検出する検出手段（第２始動口第１スイッチ１４ａ、第２始動口第２スイッチ１４ｂ）と、
該検出手段により検出された遊技球を前記貯留部へ誘導するための誘導通路（第２誘導部６１０）と、
前記貯留部の入口縁部に形成され、前記誘導通路内の遊技球を前記貯留部へ導くための誘導片（誘導片６２３）と、
該誘導片により前記貯留部と区画され、前記貯留部に貯留しきれない上限個数目以降の遊技球を遊技機外へ排出するための排出部（第２排出部６４０）とを含み、
前記誘導片は、前記誘導通路の中心位置（中心位置Ｃ１）から前記排出部側に偏在した位置で、かつ、前記貯留部において前記上限個数の遊技球が貯留されたときに前記上限個数目の遊技球（遊技球Ｐ）が前記誘導通路側に突出する態様となる位置に設けられ（図７（ｂ）において、上限個数目の遊技球Ｐの方が誘導片６２３よりも第２誘導部６１０側へ突出している）、
前記貯留部に前記上限個数の遊技球が貯留されているときに、前記誘導通路により誘導されてきた遊技球が、前記貯留部に貯留された前記上限個数目の遊技球の中心よりも前記排出部側に偏った位置に衝突することに基づいて、前記排出部へ誘導され（図７（ｂ））、
遊技の結果、第１の特定遊技状態、または、該第１の特定遊技状態よりも有利な第２の特定遊技状態に制御可能であり、前記第２の特定遊技状態に制御される場合は、前記第１の特定遊技状態に制御される場合に比べて高い割合で遊技球が前記演出手段に導かれる。
【手続補正４】
【補正対象書類名】明細書
【補正対象項目名】０００９
【補正方法】変更
【補正の内容】
【０００９】
このような構成によれば、検出手段により検出された遊技球は、誘導通路により、入口縁部に誘導片が設けられた貯留部へ誘導され、貯留部に遊技球が貯留されているときに、誘導されてきた遊技球が貯留されている遊技球に衝突する。貯留部の入口縁部の誘導片が誘導通路の中心位置から排出部側に偏在した位置にあるので、貯留部に上限個数の遊技球が貯留されていないときには、誘導片の誘導に基づいて、遊技球が、排出部に誘導されることなく、貯留部に誘導される。さらに、誘導片は、貯留部において上限個数の遊技球が貯留されたときに上限個数目の遊技球が誘導通路側に突出する態様となる位置に設けられており、貯留部に上限個数の遊技球が貯留されているときには、誘導通路により誘導されてきた遊技球が、貯留部に貯留された上限個数目の遊技球の中心よりも排出部側に偏った位置に衝突することに基づいて、排出部へ誘導される。このような誘導通路と、誘導片および貯留部との位置関係により、衝突した遊技球が、誘導通路を逆流するような態様で跳ね返るのを防ぐことができる。これにより、跳ね返った遊技球が検出手段により再度検出されてしまう誤検出を防ぐことができる。
【手続補正５】
【補正対象書類名】明細書
【補正対象項目名】００１２
【補正方法】変更
【補正の内容】
【００１２】
（３）  前記入賞口として、
前記遊技領域における第１の領域に設けられた第１の入賞口（第１始動入賞口１３）と、
前記遊技領域における第２の領域に設けられた第２の入賞口（第２始動入賞口１４）とを含み、
前記貯留部として、
前記第１の入賞口に入賞した遊技球を第１の上限個数まで貯留する第１の貯留部（第２貯留部６２０と同様の構成を有する第１貯留部）と、
前記第２の入賞口に入賞した遊技球を第２の上限個数まで貯留する第２の貯留部（第２貯留部６２０）とを含み、
前記放出手段として、
前記第１の貯留部に貯留させた遊技球を放出する第１の放出手段（第２放出ソレノイド８６と同様の構成を有する第１放出ソレノイド）と、
前記第２の貯留部に貯留させた遊技球を放出する第２の放出手段（第２放出ソレノイド８６）とを含み、
前記検出手段として、
前記第１の入賞口に入賞した遊技球を検出する第１の検出手段（第１始動口第１スイッチ１３ａ、第１始動口第２スイッチ１３ｂ）と、
前記第２の入賞口に入賞した遊技球を検出する第２の検出手段（第２始動口第１スイッチ１４ａ、第２始動口第２スイッチ１４ｂ）とを含み、
前記誘導通路として、
前記第１の検出手段により検出された遊技球を前記第１の貯留部へ誘導するための第１の誘導通路（第２誘導部６１０と同様の構成を有する第１誘導部）と、
前記第２の検出手段により検出された遊技球を前記第２の貯留部へ誘導するための第２の誘導通路（第２誘導部６１０）とを含み、
前記排出部として、
前記第１の貯留部に貯留しきれない第１の上限個数目以降の遊技球を遊技機外へ排出するための第１の排出部（第２排出部６４０と同様の構成を有する第１排出部）と、
前記第２の貯留部に貯留しきれない第２の上限個数目以降の遊技球を遊技機外へ排出するための第２の排出部（第２排出部６４０）とを含み、
前記誘導片は、前記第１の貯留部および前記第２の貯留部の少なくとも一方の入口縁部に形成され（図７）、対応関係にある前記貯留部と前記排出部とを区画し、対応関係にある前記誘導通路内の遊技球を前記貯留部へ導き（図４）、
遊技状態に応じて、前記第１の入賞口と前記第２入賞口との遊技球の入賞しやすさの関係を変化させる制御を行なう入賞容易化制御手段（遊技制御用マイクロコンピュータ５６０、図３５のＳ１６１，Ｓ１６４，図３７のＳ３１１，Ｓ３１４）をさらに含む。
【手続補正６】
【補正対象書類名】明細書
【補正対象項目名】００１４
【補正方法】変更
【補正の内容】
【００１４】
（４）  前記第１の貯留部と前記第２の貯留部とのうち、前記入賞容易化制御手段の制御状態（電チューサポート制御状態、非電チューサポート制御状態）に応じて、前記第１の放出手段と前記第２の放出手段とのうちから一方の放出手段を選択し、選択した放出手段により遊技球を放出させる制御を行なう演出実行手段（演出制御用マイクロコンピュータ１００、図４９のＳ９１１〜Ｓ９１７）をさらに含む。
【手続補正７】
【補正対象書類名】明細書
【補正対象項目名】００１５
【補正方法】変更
【補正の内容】
【００１５】
このような構成によれば、第１の貯留部に貯留された遊技球と第２の貯留部に貯留された遊技球とのうち、入賞容易化制御手段の制御状態に応じて、第１の放出手段と第２の放出手段とのうちから一方の放出手段を選択して遊技球を放出させる制御が行なわれるので、遊技球が入賞しやすい入賞口から入賞した遊技球を貯留している方の貯留部の遊技球を有効に演出に使用することができる。
【手続補正８】
【補正対象書類名】明細書
【補正対象項目名】００１６
【補正方法】変更
【補正の内容】
【００１６】
（５）  前記第１の貯留部に貯留されている遊技球数を検出する第１の貯留数検出手段（第１貯留センサ８７ａ，８７ｂ，８７ｃ，８７ｄ，８７ｅ）と、
前記第２の貯留部に貯留されている遊技球数を検出する第２の貯留数検出手段（第２貯留センサ８８ａ，８８ｂ，８８ｃ，８８ｄ，８８ｅ）とをさらに含み、
前記演出実行手段は、
放出する遊技球数を決定する放出数決定手段（図４８のＳ８４９、図５０のＳ８７７、図５１のＳ９８０）と、
前記第１の貯留数検出手段または前記第２の貯留数検出手段による遊技球数の検出に基づいて、選択した一方の前記放出手段から放出可能な遊技球数が、前記放出数決定手段により決定された遊技球数に対して不足するか否かを判定する判定手段（図４９のＳ９１２，Ｓ９１５）と、
該判定手段により不足しないと判定されたときに、前記放出数決定手段により決定された数の遊技球を、選択した一方の前記放出手段のみにより放出させる制御を行なう第１の放出制御手段（図４９のＳ９１３，Ｓ９１６）と、
前記判定手段により不足すると判定されたときに、前記放出数決定手段により決定された数の遊技球を、選択した一方の前記放出手段、および、選択されていない他方の前記放出手段の両方により放出させる制御を行なう第２の放出制御手段とを含む（図４９のＳ９１４，Ｓ９１７）。
【手続補正９】
【補正対象書類名】明細書
【補正対象項目名】００１７
【補正方法】変更
【補正の内容】
【００１７】
このような構成によれば、放出する遊技球数を決定し、第１の貯留部に貯留された遊技球と第２の貯留部に貯留された遊技球とのうち、入賞容易化制御手段の制御状態に応じて、第１の放出手段と第２の放出手段とのうちから一方の放出手段を選択して遊技球を放出させる制御が行なわれるときに、選択した一方の放出手段から放出可能な遊技球数が、決定された放出数に対して不足するか否かが判定される。そして、不足しないと判定されたときに、選択した一方の放出手段のみにより遊技球を放出させる制御が行なわれ、不足すると判定されたときに、両方の放出手段により遊技球を放出させる制御が行なわれる。これにより、選択された放出手段から放出可能な遊技球数が不足する場合であっても、予定した数の遊技球を放出する演出を行なうに必要となる遊技球数を確保することができる。
【手続補正１０】
【補正対象書類名】明細書
【補正対象項目名】００１９
【補正方法】変更
【補正の内容】
【００１９】
以下、本発明の実施の形態を、図面を参照して説明する。なお、遊技機の一例としてパチンコ遊技機を示すが、本発明はパチンコ遊技機に限られず、遊技領域に遊技球を打込んで遊技が行なわれ、該遊技領域に設けられた入賞口に入賞した遊技球を所定の上限個数まで貯留する貯留部と、該貯留部に貯留させた遊技球を演出に使用するために放出する放出手段と、該放出手段により放出された遊技球が導かれる演出手段とを備えてなる遊技機であればどのような遊技機であってもよい。